(57)【要約】【課題】キャビネット列間の空間を通路以外としても有効利用することができる上、キャビネット列の並設方向への強度を向上することができるキャビネット列連結構造を提供する。【解決手段】前後方向に所定間隔を空けてキャビネット列１、１を並設する際に、伸縮により長さを調整可能な柱状の連結部材１１を用いて対向位置にあるキャビネット２、２の上部同士を複数箇所において前後方向で連結した。したがって、各キャビネット２の前後方向での強度を向上することができるし、キャビネット列１、１間で連結部材１１、１１・・の上方の空間をケーブル２１等の引き回しのための空間として利用することができ、空間の有効な利用をも図ることができる。【選択図】図６
2012209368.tif 000002
【特許請求の範囲】
【請求項１】
複数のキャビネットを所定方向へ連設してなるキャビネット列を、前記所定方向とは異なる方向に所定の間隔を空けて並設した状態において、前記キャビネット列同士を連結するためのキャビネット列連結構造であって、
各前記キャビネット列の複数箇所において、一のキャビネットの上部と、該キャビネットと対向する位置にある隣のキャビネット列のキャビネットの上部とを伸縮により長さを調整可能な連結部材により連結したことを特徴とするキャビネット列連結構造。
【請求項２】
前記連結部材が、柱状体であり、
前記連結部材の両端部に係止部を設ける一方、前記キャビネットの上部に前記係止部が係止可能な被係止部を設け、
前記連結部材を前記キャビネットに対して着脱自在に取り付けることにより、前記キャビネット列同士を連結することを特徴とする請求項１に記載のキャビネット列連結構造。
【発明の詳細な説明】
【技術分野】
【０００１】
本発明は、たとえばラックマウントタイプの電気機器を収納可能なラック等といったキャビネットを所定方向に連設してなるキャビネット列同士を連結するためのキャビネット列連結構造に関するものである。
【背景技術】
【０００２】
従来、一般的なキャビネットの一例としては、たとえば特許文献１に記載のキャビネットが知られている。このキャビネットは、ラックマウントタイプの電気機器を収納可能なラックであって、４本のフレーム部材を四角形状に組み付けてなる天枠及び底枠を、上下方向に長い４本の柱部材によって連結してなり、必要に応じて前面の開口には扉体を、側面や天面、底面等の開口には側板や天板、底板等を夫々取り付けて閉塞可能としている。そして、特許文献１に記載されているようなキャビネットを使用する際には、左右方向へ複数のキャビネットを連設してキャビネット列を形成するとともに、更に当該キャビネット列を前後方向に所定の間隔を空けて複数列設置して使用する場合がある。
【先行技術文献】
【特許文献】
【０００３】
【特許文献１】特開２００３−７０１１０号公報
【発明の概要】
【発明が解決しようとする課題】
【０００４】
上述したように多数のキャビネットを並設する場合、従来のキャビネットによれば、キャビネット列とキャビネット列との間の空間は通路としてしか利用することができず、キャビネット列間の空間を通路として以外に有効利用することが望まれている。また、上述の如く設置された各キャビネットの強度に関し、左右方向への強度については、複数のキャビネットが連設されているために十分な強度が期待できるものの、前後方向（すなわちキャビネット列の並設方向）への強度については、更なる向上が求められている。
【０００５】
そこで、本発明は、上記問題に鑑みなされたものであって、キャビネット列間の空間を通路以外としても有効利用することができる上、キャビネット列の並設方向への強度を向上することができるキャビネット列連結構造を提供しようとするものである。
【課題を解決するための手段】
【０００６】
上記目的を達成するために、本発明のうち請求項１に記載の発明は、複数のキャビネットを所定方向へ連設してなるキャビネット列を、前記所定方向とは異なる方向に所定の間隔を空けて並設した状態において、前記キャビネット列同士を連結するためのキャビネット列連結構造であって、各前記キャビネット列の複数箇所において、一のキャビネットの上部と、該キャビネットと対向する位置にある隣のキャビネット列のキャビネットの上部とを伸縮により長さを調整可能な連結部材によって連結したことを特徴とする。
請求項２に記載の発明は、請求項１に記載の発明において、前記連結部材が、柱状体であり、前記連結部材の両端部に係止部を設ける一方、前記キャビネットの上部に前記係止部が係止可能な被係止部を設け、前記連結部材を前記キャビネットに対して着脱自在に取り付けることにより、前記キャビネット列同士を連結することを特徴とする。
【発明の効果】
【０００７】
本発明によれば、所定の間隔を空けてキャビネット列を並設する際に、各キャビネット列の複数箇所において、一のキャビネットの上部と該キャビネットと対向する位置にある隣のキャビネット列のキャビネットの上部とを伸縮により長さを調整可能な連結部材によって連結する。したがって、連結方向、すなわちキャビネット列の並設方向でのキャビネットの強度を向上することができるし、キャビネット列間で連結部材の上方の空間をケーブル等の引き回しのための空間として利用することができ、空間の有効な利用をも図ることができる。さらに、連結部材を伸縮により長さを調整可能しているため、キャビネット列間の間隔に応じて連結部材を伸縮させ長さを調整してやれば対応することができ、汎用性に富む。
請求項２に記載の発明によれば、連結部材が、柱状体であり、連結部材の両端部に係止部を設ける一方、キャビネットの上部に係止部が係止可能な被係止部を設け、連結部材をキャビネットに対して着脱自在に取り付けることにより、キャビネット列同士を連結するため、連結部材による連結作業が容易であるし、連結部材がキャビネットに対して着脱自在であることから、連結部材を外すだけでキャビネットの表面からの突出部がなくなり、運搬時や保管時等の扱いが簡易となる。更に、既設のキャビネットに被係止部を設けるだけで連結部材の後付けも可能となり、汎用性が非常に高い。
【図面の簡単な説明】
【０００８】
【図１】複数のキャビネットを左右方向へ連設してなるキャビネット列を示した斜視説明図である。
【図２】図１中のＡ部において連結部材を取り付ける前の状態を示した拡大説明図である。
【図３】連結部材が取り付けられた状態にあるキャビネットを側方から示した説明図である。
【図４】図３中のＢ部において連結部材を取り付ける様子を示した拡大説明図である。
【図５】図３中のＣ部を拡大して示した説明図である。
【図６】連結部材の上方空間の利用例を示した説明図である。
【発明を実施するための形態】
【０００９】
以下、本発明の一実施形態となるキャビネット列連結構造について、図面にもとづき詳細に説明する。
【００１０】
図１は、複数のキャビネット２、２・・を左右方向へ連設してなるキャビネット列１、１を示した斜視説明図である。
各キャビネット２は、柱部材を方体状に組み付けた枠状の本体に、左右側面の開口を閉塞する一対の側板３、天面の開口を閉塞する天板４、後方の開口を閉塞する背板（図示せず）、及び底面の開口を閉塞する底板（図示せず）を取り付けるとともに、前面の開口を開閉自在に閉塞する前扉５を取り付けて構成されるもので、キャビネット列１は、そのようなキャビネット２を左右方向へ複数連設してなる。また、該キャビネット列１は、前後方向に所定の間隔を空けて複数列（ここでは２列）並設されている。尚、キャビネット列１において、左右で隣り合うキャビネット２とキャビネット２とは、左右両端にネジ孔を有する帯状のプレート部材（図示せず）を介して連結されている。
【００１１】
そして、キャビネット列１、１間には、本発明の要部となる連結部材１１、１１・・が架設されている。以下、連結部材１１及び連結部材１１によるキャビネット列１、１同士の連結について、図２〜図５をもとに説明する。図２は、図１中のＡ部において連結部材１１を取り付ける前の状態を示した拡大説明図である。図３は、連結部材１１が取り付けられた状態にあるキャビネット２を側方から示した説明図である。図４は、図３中のＢ部において連結部材１１を取り付ける様子を示した拡大説明図であり、図５は、図３中のＣ部を拡大して示した説明図である。
【００１２】
連結部材１１は、伸縮により長さを調整可能な柱状部材であって、連結部材１１の基端部には一方側の係止部としての掛止爪１２と位置決め突起１３とが設けられている。掛止爪１２は、下方へ湾曲する鉤状に形成されており、位置決め突起１３は掛止爪１２の下方位置から水平方向へ突設されている。一方、連結部材１１の先端側は、本体１１ａに対してスライド体１１ｂがスライド可能に取り付けられた構造となっており、スライド体１１ｂをスライドさせて突出／没入させることにより連結部材１１全体として伸縮し、連結部材１１の長さが調整されるようになっている。また、本体１１ａの先端部には、スライド体１１ｂを任意の突出位置でネジ止めにより固定するためのスライド方向へ長い複数の長孔１４、１４・・が穿設されている。さらに、スライド体１１ｂの先端部には、他方側の係止部としての係止片１５が設けられている。
【００１３】
上述したような連結部材１１は、掛止爪１２をキャビネット２の前面側の上隅部に形成された前面及び天面にわたるスリット１６へ差し込んだ後、連結部材１１全体を上下方向へ回動させ、位置決め突起１３をキャビネット２のスリット１６の下方に設けられたスリット１７へ差し込み、図３に示すような姿勢で、一旦キャビネット２の前面に取り付ける。その後、キャビネット列１、１同士の間隔に応じてスライド体１１ｂの突出長さを調整し、再び連結部材１１全体を上方へ回動させながら連結部材１１の先端側を上方へ持ち上げて、掛止爪１２を係止させたキャビネット２と対向する位置にあるキャビネット２の後面側の上隅部に形成された被係止部（図示せず）へ係止片１５を上方から差し込むようにして係止させてやることにより、キャビネット列１、１間に架設することができる。そして、同様の方法で、キャビネット列１、１間に複数の連結部材１１、・・を架設することにより、図６に示す如く、キャビネット列１、１間で連結部材１１、１１・・上方に形成される空間を、ケーブル２１等を束ねて引き回すための空間として利用することができる。尚、スリット１６、１７共に、各キャビネット２の天面と底面とを連結する柱部材に形成されている。
【００１４】
以上のように構成される連結部材１１を利用したキャビネット列連結構造によれば、前後方向に所定間隔を空けてキャビネット列１、１を並設する際に、柱状の連結部材１１を用いて対向位置にあるキャビネット２、２の上部同士を複数箇所において前後方向で連結するため、各キャビネット２の前後方向での強度を向上することができるし、キャビネット列１、１間で連結部材１１、１１・・の上方の空間をケーブル２１等の引き回しのための空間として利用することができ、空間の有効な利用をも図ることができる。さらに、連結部材１１を伸縮により長さを調整可能に形成しているため、キャビネット列１、１間の間隔に応じて連結部材１１を伸縮させることにより対応可能であり、汎用性に富む。
【００１５】
また、連結部材１１の一方側の端部に掛止片１２及び位置決め突起１３を、他方側の端部に係止片１５を夫々設けており、掛止片１２や位置決め突起１３、係止片１５をキャビネット２へ係止させることによって連結部材１１を取り付けることができるため、連結部材１１によるキャビネット列１、１同士の連結作業が容易であるし、掛止片１２等の係止／解除によって連結部材１１をキャビネット２に対して着脱自在としているため、連結部材１１を外すだけでキャビネット２の表面からの突出部がなくなり、運搬時や保管時等の扱いが簡易である。更に、既設のキャビネットに被係止部を設けるだけで連結部材１１の後付けも可能となり、汎用性が非常に高い。
【００１６】
なお、本発明に係るキャビネット列連結構造は、上記実施形態の態様に何ら限定されるものではなく、キャビネットそのものの構成は勿論、連結に係る箇所の構成についても必要に応じて適宜変更することができる。
【００１７】
たとえば、上記実施形態では、一方のキャビネットの後面と他方のキャビネットの前面とを連結するように構成しているが、キャビネットを前面同士又は後面同士が対向するような姿勢で配置し、その前面同士又は後面同士を連結部材により連結するように構成することも可能である。加えて、キャビネットとキャビネットとを連結する箇所も、上記実施形態では上隅部としているが、上部を連結するのであれば上隅部に限定されることはないし、上部に連結箇所を複数設け、選択的に利用したり、キャビネット列の端のキャビネットにおいては複数箇所で連結したりしても何ら問題はない。
また、上記実施形態では、連結部材の一方側の端部に掛止片及び位置決め突起を、他方側の端部に係止片を夫々設けているが、たとえば両端部とも係止片のみとする等、連結部材のキャビネットへの取り付けに係る構成についても適宜設計変更可能である。
【００１８】
さらに、上記実施形態では、連結部材をキャビネットに対して着脱自在としているが、キャビネットと一体的に形成してもよく、たとえば一方のキャビネットから大径の筒状の連結部を突設する一方、他方のキャビネットからは連結部内に嵌入可能な棒状の連結部を突設し、棒状の連結部を筒状の連結部内へ嵌入させ、所定の嵌入位置で固定することによりキャビネット同士を連結するような構成を採用する（連結部材を筒状の連結部と棒状の連結部とから構成する）ことも可能である。この構成においても、棒状の連結部をどれだけ筒状の連結部内へ嵌入させるかを調整することにより、連結部全体としての長さが伸縮することになるため、キャビネット列間の間隔を所望の間隔に調整することができ、汎用性に富む。
【符号の説明】
【００１９】
１・・キャビネット列、２・・キャビネット、３・・側板、４・・天板、５・・前扉、１１・・連結部材、１１ａ・・本体、１１ｂ・・スライド体、１２・・掛止爪（係止部）、１３・・位置決め突起、１４・・長孔、１５・・係止片（係止部）、１６、１７・・スリット（被係止部）。
【図１】
2012209368.tif 000003
【図２】
2012209368.tif 000004
【図３】
2012209368.tif 000005
【図４】
2012209368.tif 000006
【図５】
2012209368.tif 000007
【図６】
2012209368.tif 000008